(57)【特許請求の範囲】
【請求項１】
ディスプレイと、
ＨＤＲ（Ｈｉｇｈ  Ｄｙｎａｍｉｃ  Ｒａｎｇｅ）コンテンツに対応する第１出力設定値及びＳＤＲ（Ｓｔａｎｄａｒｄ  Ｄｙｎａｍｉｃ  Ｒａｎｇｅ）コンテンツに対応する第２出力設定値が保存されているストレージと、
コンテンツを受信する通信部と、
ストリーミングされた第１コンテンツが、前記第１コンテンツに対応する前記第１出力設定値及び前記第２出力設定値のうちの一方に基づいてディスプレイされる状態で、第２コンテンツがストリーミングされると、前記第１出力設定値及び前記第２出力設定値のうちの一方を他方に段階的に変更し、前記第２コンテンツをディスプレイするように前記ディスプレイを制御するプロセッサとを含み、
前記第１コンテンツは、前記ＨＤＲコンテンツ及び前記ＳＤＲコンテンツのうちの一方であり、前記第２コンテンツは、前記ＨＤＲコンテンツ及び前記ＳＤＲコンテンツのうちの他方であり、
前記プロセッサは、
予め設定されたフレーム区間又は予め設定された時間の間、前記第１出力設定値及び前記第２出力設定値のうちの一方を他方に段階的に変更し、前記第１出力設定値及び前記第２出力設定値の差に基づいて、前記予め設定されたフレーム区間のフレームの数又は前記予め設定された時間を決定する、ディスプレイ装置。
【請求項２】
前記プロセッサは、
前記予め設定されたフレーム区間又は前記予め設定された時間の間、前記第１出力設定値及び前記第２出力設定値のうちの一方を他方に同一の単位分段階的に変更する
ことを特徴とする請求項１に記載のディスプレイ装置。
【請求項３】
前記プロセッサは、
ストリーミングされるコンテンツのＶＵＩ（Ｖｉｄｅｏ  Ｕｓａｂｉｌｉｔｙ  Ｉｎｆｏｒｍａｔｉｏｎ）情報及びＳＥＩ（Ｓｕｐｐｌｅｍｅｎｔａｌ  Ｅｎｈａｎｃｅｍｅｎｔ  Ｉｎｆｏｒｍａｔｉｏｎ）情報のうち少なくとも一方に基づいて、前記ストリーミングされるコンテンツが前記ＨＤＲコンテンツであるか又は前記ＳＤＲコンテンツであるかを判断する
ことを特徴とする請求項１に記載のディスプレイ装置。
【請求項４】
前記第１出力設定値及び前記第２出力設定値のそれぞれは、
最大画面輝度、ガンマカーブ（ｇａｍｍａ  ｃｕｒｖｅ）及び色空間（ｃｏｌｏｒ  ｓｐａｃｅ）のうち少なくとも一つを含む
ことを特徴とする請求項１に記載のディスプレイ装置。
【請求項５】
前記ストレージは、
前記ＨＤＲコンテンツに対応する第１最大画面輝度及び前記ＳＤＲコンテンツに対応する第２最大画面輝度を保存し、
前記プロセッサは、
前記第１最大画面輝度及び前記第２最大画面輝度に基づいて、段階的に変更される最大画面輝度を決定し、前記決定された最大画面輝度に基づいて前記第２コンテンツをディスプレイする
ことを特徴とする請求項１に記載のディスプレイ装置。
【請求項６】
前記ストレージは、
前記ＨＤＲコンテンツに対応する第１ガンマカーブ、前記ＳＤＲコンテンツに対応する第２ガンマカーブ及び前記第１ガンマカーブを前記第２ガンマカーブに段階的に変更するための少なくとも一つのガンマカーブ、並びに前記ＨＤＲコンテンツに対応する第１色空間、前記ＳＤＲコンテンツに対応する第２色空間及び前記第１色空間を前記第２色空間に段階的に変更するための少なくとも一つの色空間を保存し、
前記プロセッサは、
前記保存された情報に基づいて前記第２コンテンツをディスプレイする
ことを特徴とする請求項１に記載のディスプレイ装置。
【請求項７】
前記ＨＤＲコンテンツは放送コンテンツであり、前記ＳＤＲコンテンツは広告コンテンツである
ことを特徴とする請求項１に記載のディスプレイ装置。
【請求項８】
ＨＤＲ（Ｈｉｇｈ  Ｄｙｎａｍｉｃ  Ｒａｎｇｅ）コンテンツに対応する第１出力設定値及びＳＤＲ（Ｓｔａｎｄａｒｄ  Ｄｙｎａｍｉｃ  Ｒａｎｇｅ）コンテンツに対応する第２出力設定値が保存されているディスプレイ装置の制御方法において、
ストリーミングされた第１コンテンツを、前記第１コンテンツに対応する前記第１出力設定値及び前記第２出力設定値のうちの一方に基づいてディスプレイするステップと、
第２コンテンツがストリーミングされると、前記第１出力設定値及び前記第２出力設定値のうちの一方を他方に段階的に変更し、前記第２コンテンツをディスプレイするステップとを含み、
前記第１コンテンツは、前記ＨＤＲコンテンツ及び前記ＳＤＲコンテンツのうちの一方であり、前記第２コンテンツは、前記ＨＤＲコンテンツ及び前記ＳＤＲコンテンツのうちの他方であり、
前記第２コンテンツをディスプレイするステップは、
予め設定されたフレーム区間又は予め設定された時間の間、前記第１出力設定値及び前記第２出力設定値のうちの一方を他方に段階的に変更し、前記第１出力設定値及び前記第２出力設定値の差に基づいて、前記予め設定されたフレーム区間のフレームの数又は前記予め設定された時間を決定する、制御方法。
【請求項９】
前記第２コンテンツをディスプレイするステップは、
前記予め設定されたフレーム区間又は前記予め設定された時間の間、前記第１出力設定値及び前記第２出力設定値のうちの一方を他方に同一の単位分段階的に変更する
ことを特徴とする請求項８に記載の制御方法。
【請求項１０】
ストリーミングされるコンテンツのＶＵＩ（Ｖｉｄｅｏ  Ｕｓａｂｉｌｉｔｙ  Ｉｎｆｏｒｍａｔｉｏｎ）情報及びＳＥＩ（Ｓｕｐｐｌｅｍｅｎｔａｌ  Ｅｎｈａｎｃｅｍｅｎｔ  Ｉｎｆｏｒｍａｔｉｏｎ）情報のうち少なくとも一方に基づいて、前記ストリーミングされるコンテンツが前記ＨＤＲコンテンツであるか又は前記ＳＤＲコンテンツであるかを判断するステップを更に含む
ことを特徴とする請求項８に記載の制御方法。
【請求項１１】
前記第１出力設定値及び前記第２出力設定値のそれぞれは、
最大画面輝度、ガンマカーブ（ｇａｍｍａ  ｃｕｒｖｅ）及び色空間（ｃｏｌｏｒ  ｓｐａｃｅ）のうち少なくとも一つを含む
ことを特徴とする請求項８に記載の制御方法。
【発明の詳細な説明】
【技術分野】
【０００１】
本発明は、ディスプレイ装置及びその制御方法に関し、より詳細には、ＨＤＲ（Ｈｉｇｈ  Ｄｙｎａｍｉｃ  Ｒａｎｇｅ）コンテンツをディスプレイすることができるディスプレイ装置及びその制御方法に関する。
【背景技術】
【０００２】
電子技術の発達により、多様なディスプレイ装置が開発及び普及されている。特に、ユーザの目で風景を見るのと同様に、色再現率を高めるためのディスプレイ技術が開発されている。
【０００３】
その中の一つの方法で、ＨＤＲ（Ｈｉｇｈ  Ｄｙｎａｍｉｃ  Ｒａｎｇｅ）コンテンツを生成し、それをディスプレイするためのディスプレイ装置が開発されている。ＨＤＲは、明暗をよりくっきりとし、人の目と類似するように自然な映像をディスプレイするための技術である。ＨＤＲコンテンツではない従来の技術によって生成されたコンテンツは、ＳＤＲコンテンツとし、まだＨＤＲコンテンツ及びＳＤＲコンテンツが混用されている。なお、ＨＤＲコンテンツ及びＳＤＲコンテンツのうち一方から他方に変更される場合、突然ディスプレイ装置の設定が変更されてユーザに違和感を感じさせてしまうことがある。
【０００４】
特に、コンテンツがストリーミングされる場合には、違和感は更に大きくなる。例えば、ＨＤＭＩ（登録商標）などで接続された従来の外部入力装置からコンテンツが提供されたりディスプレイ装置内部に保存されているコンテンツをディスプレイする場合、ユーザの選択によってＨＤＲコンテンツ及びＳＤＲコンテンツのいずれか一方から他方に変更されてよい。そのときは、ユーザの選択があって、ユーザはコンテンツが変更されてディスプレイ装置の設定が変更されることを予想することができる。
【０００５】
それに対し、コンテンツがストリーミングされてディスプレイされる場合には、ユーザはコンテンツが変更されてディスプレイ装置の設定が変更されることを予想することができずに、違和感を相対的に大きく感じることがある。
【０００６】
それにより、ディスプレイ装置の設定が変更される場合には、ユーザの違和感を最小化するための技術が求められる。
【発明の概要】
【発明が解決しようとする課題】
【０００７】
そこで、本発明は、上記問題に鑑みてなされたものであり、本発明の目的とするところは、ストリーミングされるコンテンツがＨＤＲ（Ｈｉｇｈ  Ｄｙｎａｍｉｃ  Ｒａｎｇｅ）コンテンツ及びＳＤＲ（Ｓｔａｎｄａｒｄ  Ｄｙｎａｍｉｃ  Ｒａｎｇｅ）コンテンツのうちの一方から他方に変更される際、視聴者の違和感を最小化するディスプレイ装置及びその制御方法を提供することにある。
【課題を解決するための手段】
【０００８】
以上のような目的を達成するための本発明の一実施形態によると、ディスプレイ装置は、ディスプレイと、ＨＤＲ（Ｈｉｇｈ  Ｄｙｎａｍｉｃ  Ｒａｎｇｅ）コンテンツに対応する第１出力設定値及びＳＤＲ（Ｓｔａｎｄａｒｄ  Ｄｙｎａｍｉｃ  Ｒａｎｇｅ）コンテンツに対応する第２出力設定値が保存されているストレージと、コンテンツを受信する通信部と、ストリーミングされた第１コンテンツが、前記第１コンテンツに対応する前記第１出力設定値及び前記第２出力設定値のうちの一方に基づいてディスプレイされる状態で、第２コンテンツがストリーミングされると、前記第１出力設定値及び前記第２出力設定値のうちの一方を他方に段階的に変更し、前記第２コンテンツをディスプレイするように前記ディスプレイを制御するプロセッサとを含み、前記第１コンテンツは、前記ＨＤＲコンテンツ及び前記ＳＤＲコンテンツのうちの一方であり、前記第２コンテンツは、前記ＨＤＲコンテンツ及び前記ＳＤＲコンテンツのうちの他方であってよい。
【０００９】
なお、前記プロセッサは、予め設定されたフレーム区間又は予め設定された時間の間、前記第１出力設定値及び前記第２出力設定値のうちの一方を他方に段階的に変更してよい。
【００１０】
そして、前記プロセッサは、前記予め設定されたフレーム区間又は前記予め設定された時間の間、前記第１出力設定値及び前記第２出力設定値のうちの一方を他方に同一の単位分段階的に変更してよい。
【００１１】
なお、前記プロセッサは、前記第１出力設定値及び前記第２出力設定値の差に基づいて、前記予め設定されたフレーム区間のフレームの数又は前記予め設定された時間を決定してよい。
【００１２】
そして、前記プロセッサは、ストリーミングされるコンテンツのＶＵＩ（Ｖｉｄｅｏ  Ｕｓａｂｉｌｉｔｙ  Ｉｎｆｏｒｍａｔｉｏｎ）情報及びＳＥＩ（Ｓｕｐｐｌｅｍｅｎｔａｌ  Ｅｎｈａｎｃｅｍｅｎｔ  Ｉｎｆｏｒｍａｔｉｏｎ）情報のうち少なくとも一方に基づいて、前記ストリーミングされるコンテンツが前記ＨＤＲコンテンツであるか又は前記ＳＤＲコンテンツであるかを判断してよい。
【００１３】
なお、前記第１出力設定値及び前記第２出力設定値のそれぞれは、最大画面輝度、ガンマカーブ（ｇａｍｍａ  ｃｕｒｖｅ）及び色空間（ｃｏｌｏｒ  ｓｐａｃｅ）のうち少なくとも一つを含んでよい。
【００１４】
そして、前記ストレージは、前記ＨＤＲコンテンツに対応する第１最大画面輝度及び前記ＳＤＲコンテンツに対応する第２最大画面輝度を保存し、前記プロセッサは、前記第１最大画面輝度及び前記第２最大画面輝度に基づいて、段階的に変更される最大画面輝度を決定し、前記決定された最大画面輝度に基づいて前記第２コンテンツをディスプレイしてよい。
【００１５】
なお、前記ストレージは、前記ＨＤＲコンテンツに対応する第１ガンマカーブ、前記ＳＤＲコンテンツに対応する第２ガンマカーブ及び前記第１ガンマカーブを前記第２ガンマカーブに段階的に変更するための少なくとも一つのガンマカーブ、並びに前記ＨＤＲコンテンツに対応する第１色空間、前記ＳＤＲコンテンツに対応する第２色空間及び前記第１色空間を前記第２色空間に段階的に変更するための少なくとも一つの色空間を保存し、前記プロセッサは、前記保存された情報に基づいて前記第２コンテンツをディスプレイしてよい。
【００１６】
そして、前記ＨＤＲコンテンツは放送コンテンツであり、前記ＳＤＲコンテンツは広告コンテンツであってよい。
【００１７】
一方、本発明の一実施形態によると、ＨＤＲ（Ｈｉｇｈ  Ｄｙｎａｍｉｃ  Ｒａｎｇｅ）コンテンツに対応する第１出力設定値及びＳＤＲ（Ｓｔａｎｄａｒｄ  Ｄｙｎａｍｉｃ  Ｒａｎｇｅ）コンテンツに対応する第２出力設定値が保存されているディスプレイ装置の制御方法は、ストリーミングされた第１コンテンツを、前記第１コンテンツに対応する前記第１出力設定値及び前記第２出力設定値のうちの一方に基づいてディスプレイするステップと、第２コンテンツがストリーミングされると、前記第１出力設定値及び前記第２出力設定値のうちの一方を他方に段階的に変更し、前記第２コンテンツをディスプレイするステップとを含み、前記第１コンテンツは、前記ＨＤＲコンテンツ及び前記ＳＤＲコンテンツのうちの一方であり、前記第２コンテンツは、前記ＨＤＲコンテンツ及び前記ＳＤＲコンテンツのうちの他方であってよい。
【００１８】
なお、前記第２コンテンツをディスプレイするステップは、予め設定されたフレーム区間又は予め設定された時間の間、前記第１出力設定値及び前記第２出力設定値のうちの一方を他方に段階的に変更してよい。
【００１９】
そして、前記第２コンテンツをディスプレイするステップは、前記予め設定されたフレーム区間又は前記予め設定された時間の間、前記第１出力設定値及び前記第２出力設定値のうちの一方を他方に同一の単位分段階的に変更してよい。
【００２０】
なお、前記第２コンテンツをディスプレイするステップは、前記第１出力設定値及び前記第２出力設定値の差に基づいて、前記予め設定されたフレーム区間のフレームの数又は前記予め設定された時間を決定してよい。
【００２１】
そして、ストリーミングされるコンテンツのＶＵＩ（Ｖｉｄｅｏ  Ｕｓａｂｉｌｉｔｙ  Ｉｎｆｏｒｍａｔｉｏｎ）情報及びＳＥＩ（Ｓｕｐｐｌｅｍｅｎｔａｌ  Ｅｎｈａｎｃｅｍｅｎｔ  Ｉｎｆｏｒｍａｔｉｏｎ）情報のうち少なくとも一方に基づいて、前記ストリーミングされるコンテンツが前記ＨＤＲコンテンツであるか又は前記ＳＤＲコンテンツであるかを判断するステップを更に含んでよい。
【００２２】
なお、前記第１出力設定値及び前記第２出力設定値のそれぞれは、最大画面輝度、ガンマカーブ（ｇａｍｍａ  ｃｕｒｖｅ）及び色空間（ｃｏｌｏｒ  ｓｐａｃｅ）のうち少なくとも一つを含んでよい。
【００２３】
そして、前記ディスプレイ装置は、前記ＨＤＲコンテンツに対応する第１最大画面輝度及び前記ＳＤＲコンテンツに対応する第２最大画面輝度を保存し、前記第２コンテンツをディスプレイするステップは、前記第１最大画面輝度及び前記第２最大画面輝度に基づいて、段階的に変更される最大画面輝度を決定し、前記決定された最大画面輝度に基づいて前記第２コンテンツをディスプレイしてよい。
【００２４】
なお、前記ディスプレイ装置は、前記ＨＤＲコンテンツに対応する第１ガンマカーブ、前記ＳＤＲコンテンツに対応する第２ガンマカーブ及び前記第１ガンマカーブを前記第２ガンマカーブに段階的に変更するための少なくとも一つのガンマカーブ、並びに前記ＨＤＲコンテンツに対応する第１色空間、前記ＳＤＲコンテンツに対応する第２色空間及び前記第１色空間を前記第２色空間に段階的に変更するための少なくとも一つの色空間を保存し、前記第２コンテンツをディスプレイするステップは、前記保存された情報に基づいて前記第２コンテンツをディスプレイしてよい。
【００２５】
そして、前記ＨＤＲコンテンツは放送コンテンツであり、前記ＳＤＲコンテンツは広告コンテンツであってよい。
【００２６】
一方、本発明の一実施形態によると、ＨＤＲ（Ｈｉｇｈ  Ｄｙｎａｍｉｃ  Ｒａｎｇｅ）コンテンツに対応する第１出力設定値及びＳＤＲ（Ｓｔａｎｄａｒｄ  Ｄｙｎａｍｉｃ  Ｒａｎｇｅ）コンテンツに対応する第２出力設定値が保存されているディスプレイ装置の動作方法を行うためのプログラムが保存された記録媒体において、前記動作方法は、ストリーミングされた第１コンテンツを、前記第１コンテンツに対応する前記第１出力設定値及び前記第２出力設定値のうちの一方に基づいてディスプレイするステップと、第２コンテンツがストリーミングされると、前記第１出力設定値及び前記第２出力設定値のうちの一方を他方に段階的に変更し、前記第２コンテンツをディスプレイするステップとを含み、前記第１コンテンツは、前記ＨＤＲコンテンツ及び前記ＳＤＲコンテンツのうちの一方であり、前記第２コンテンツは、前記ＨＤＲコンテンツ及び前記ＳＤＲコンテンツのうちの他方であってよい。
【発明の効果】
【００２７】
以上説明したように、本発明によれば、ディスプレイ装置は、ＨＤＲ（Ｈｉｇｈ  Ｄｙｎａｍｉｃ  Ｒａｎｇｅ）コンテンツ及びＳＤＲ（Ｓｔａｎｄａｒｄ  Ｄｙｎａｍｉｃ  Ｒａｎｇｅ）コンテンツのうちの一方から他方に変更される際、ディスプレイの出力設定値を段階的に変更して視聴者の違和感を最小化することができるようになる。
【図面の簡単な説明】
【００２８】
【図１Ａ】本発明の一実施形態に係るディスプレイ装置を説明するためのブロック図である。
【図１Ｂ】ディスプレイ装置の細部構成の一例を示すブロック図である。
【図２】本発明の一実施形態に係るストリーミングコンテンツのタイプが変更される場合を説明するための図である。
【図３】出力設定値のうち最大画面輝度値を変更する方法を説明するための図である。
【図４】出力設定値のうちガンマカーブを変更する方法を説明するための図である。
【図５】出力設定値のうち色空間を変更する方法を説明するための図である。
【図６】本発明の一実施形態に係る中間出力設定値を決定する方法を具体的に説明するためのフローチャートである。
【図７】本発明の一実施形態に係るディスプレイ装置の制御方法を説明するためのフローチャートである。
【発明を実施するための形態】
【００２９】
以下において、添付の図を用いて、本発明の多様な実施形態について具体的に説明する。
【００３０】
図１Ａは、本発明の一実施形態に係るディスプレイ装置１００を説明するためのブロック図である。図１Ａによると、ディスプレイ装置１００は、ディスプレイ１１０、ストレージ１２０、通信部１３０及びプロセッサ１４０を含む。
【００３１】
本発明の多様な実施形態に係るディスプレイ装置１００は、一つ又はそれ以上のディスプレイを備え、アプリケーションを実行するかコンテンツを表示するように構成される装置として、例えば、デジタルテレビジョン（ｄｉｇｉｔａｌ  ｔｅｌｅｖｉｓｉｏｎ）、タブレット（ｔａｂｌｅｔ）、パソコン（ｐｅｒｓｏｎａｌ  ｃｏｍｐｕｔｅｒ：ＰＣ）、携帯用マルチメディア再生装置（Ｐｏｒｔａｂｌｅ  Ｍｕｌｔｉｍｅｄｉａ  Ｐｌａｙｅｒ：ＰＭＰ）、携帯情報端末（Ｐｅｒｓｏｎａｌ  Ｄｉｇｉｔａｌ  Ａｓｓｉｓｔａｎｔ：ＰＤＡ）、スマートフォン（Ｓｍａｒｔ  Ｐｈｏｎｅ）、携帯電話、電子フォトフレーム、デジタルサイネージ（Ｄｉｇｉｔａｌ  Ｓｉｇｎａｇｅ）、キオスク端末などであってよい。
【００３２】
ディスプレイ装置１００は、ＨＤＲ（Ｈｉｇｈ  Ｄｙｎａｍｉｃ  Ｒａｎｇｅ）コンテンツ及びＳＤＲ（Ｓｔａｎｄａｒｄ  Ｄｙｎａｍｉｃ  Ｒａｎｇｅ）コンテンツのそれぞれに対応する出力設定値に基づいて各コンテンツをディスプレイすることができる。
【００３３】
ここで、ＨＤＲは、明暗をよりくっきり区分し、人の目と類似するように自然な映像をディスプレイするための技術である。ＨＤＲは、輝度を１０００ｎｉｔまで実現し、明暗をくっきり表現することができ、それによって、暗いところはより暗く、明るいところはより明るく表現することができる。ＳＤＲは、ＨＤＲが適用されていない状態で映像をディスプレイする場合を意味する。ＨＤＲコンテンツは、ＨＤＲに基づいて生成されたコンテンツを意味し、ＳＤＲコンテンツは、ＳＤＲに基づいて生成されたコンテンツを意味する。
【００３４】
ディスプレイ装置１００は、ＨＤＲコンテンツがストリーミングされると、ＨＤＲコンテンツに対応する出力設定値に基づいてＨＤＲコンテンツをディスプレイすることができる。例えば、ディスプレイ装置１００は、ＨＤＲコンテンツがストリーミングされると、ＨＤＲコンテンツに対応するようにディスプレイ装置１００の最大画面輝度、ガンマカーブ（ｇａｍｍａ  ｃｕｒｖｅ）及び色空間（ｃｏｌｏｒ  ｓｐａｃｅ）のうち少なくとも一つを調整してＨＤＲコンテンツをディスプレイすることができる。
【００３５】
なお、ディスプレイ装置１００は、ＳＤＲコンテンツがストリーミングされると、ＳＤＲコンテンツに対応する出力設定値に基づいてＳＤＲコンテンツをディスプレイすることができる。ただ、ディスプレイ装置１００は、ストリーミングされるコンテンツがＨＤＲコンテンツ及びＳＤＲコンテンツのうちの一方から他方に変更されると、出力設定値を段階的に変更することができ、それに対する具体的な説明は後述する。
【００３６】
一方、現在までＨＤＲに対する多様なフォーマットが開発されている。例えば、ＤｏｌｂｙＶｉｓｉｏｎ、Ｔｅｃｈｎｉｃｏｌｏｒ  ＨＤＲ１０及びＨＬＧ１０などのフォーマットが開発されている。ただ、本願の技術は、この中のいずれかに限定されるものではなく、今後開発されるＨＤＲに対するフォーマットにも適用されてよい。以下では、説明の便宜のために、多様なＨＤＲフォーマットをＨＤＲとして称する。なお、説明の便宜のために、ＨＤＲコンテンツ及びＳＤＲコンテンツのうちの一方が他方に変更されることをコンテンツのタイプが変更されたと記載する。
【００３７】
ディスプレイ１１０は、プロセッサ１４０の制御によって多様なタイプのコンテンツをディスプレイすることができる。例えば、ディスプレイ１１０は、ＨＤＲコンテンツ又はＳＤＲコンテンツをディスプレイすることができる。なお、ディスプレイ１１０は、コンテンツのタイプに基づいて相互異なる出力設定値で動作することができる。
【００３８】
そして、ディスプレイ１１０は、ＬＣＤ（Ｌｉｑｕｉｄ  Ｃｒｙｓｔａｌ  Ｄｉｓｐｌａｙ  Ｐａｎｅｌ）、ＯＬＥＤ（Ｏｒｇａｎｉｃ  Ｌｉｇｈｔ  Ｅｍｉｔｔｉｎｇ  Ｄｉｏｄｅｓ）などで実現されてよいが、それに限定されるものではない。なお、ディスプレイ１１０は、場合によって、フレキシブルディスプレイ、透明ディスプレイなどで実現することも可能である。
【００３９】
ストレージ１２０は、ＨＤＲコンテンツに対応する第１出力設定値及びＳＤＲコンテンツに対応する第２出力設定値を保存することができる。ここで、出力設定値は、最大画面輝度、ガンマカーブ及び色空間のうち、少なくとも一つを含んでよい。
【００４０】
最大画面輝度は、ディスプレイ１１０の最大画面輝度を示し、通常ｎｉｔ単位で表現されてよい。ガンマカーブは、入力されたコンテンツのデータ値対比出力値を示し、絶対値又は相対値で表現されてよい。ただ、以下では、説明の便宜のために、相対値として説明する。色空間は、ディスプレイ１１０が表示できる色相の全範囲を意味する。
【００４１】
なお、ストレージ１２０は、後述の出力設定値が段階的に変更されるための値を更に保存することができる。例えば、ストレージ１２０は、ＨＤＲコンテンツに対応する第１最大画面輝度及びＳＤＲコンテンツに対応する第２最大画面輝度を保存し、第１最大画面輝度値及び第２最大画面輝度値の間の予め設定された数の画面輝度値を更に保存することができる。
【００４２】
なお、ストレージ１２０は、ＨＤＲコンテンツに対応する第１ガンマカーブ、第１色空間及びＳＤＲコンテンツに対応する第２ガンマカーブ、第２色空間を保存する他に、更に複数のガンマカーブ及び複数の色空間を更に含んでよい。それに対する具体的な説明は後述する。
【００４３】
通信部１３０は、コンテンツを受信することができる。例えば、通信部１３０は、ＨＤＲコンテンツ又はＳＤＲコンテンツを受信することができる。そのとき、受信されるコンテンツは、ストリーミングが可能な形態で受信されてよい。なお、コンテンツに関連するメタデータなどが更に受信されてよい。
【００４４】
通信部１３０は、コンテンツをリアルタイムで受信できる全ての装置を含んでよい。例えば、ディスプレイ装置１００は、インターネット網を通じてコンテンツを受信することができ、この場合、通信部１３０は、ディスプレイ装置１００に備えられたＬＡＮカードであってよい。又は、ディスプレイ装置１００は、チューナを通じて放送コンテンツを受信することもでき、この場合、通信部１３０はディスプレイ装置１００に備えられたチューナであってよい。
【００４５】
プロセッサ１４０は、ディスプレイ装置１００の動作の全般を制御する。
【００４６】
プロセッサ１４０は、通信部１３０を介してリアルタイムで受信されるコンテンツをデコードしてリアルタイムでディスプレイするようにディスプレイ１１０を制御することができる。そのとき、プロセッサ１４０は、ストレージ１２０に保存された情報に基づいて受信されたコンテンツのタイプに対応するディスプレイ１１０の出力設定値を決定することができる。プロセッサ１４０は、決定された出力設定値に基づいて、受信されたコンテンツをディスプレイすることができる。
【００４７】
例えば、プロセッサ１４０は、受信されたコンテンツがＨＤＲコンテンツであれば、ＨＤＲコンテンツに対応する第１出力設定値に基づいて受信されたコンテンツをディスプレイすることができる。又は、プロセッサ１４０は、受信されたコンテンツがＳＤＲコンテンツであれば、ＳＤＲコンテンツに対応する第２出力設定値に基づいて受信されたコンテンツをディスプレイすることができる。
【００４８】
プロセッサ１４０は、ストリーミングされた第１コンテンツが第１コンテンツに対応する第１出力設定値及び第２出力設定値のうちの一方に基づいてディスプレイされる状態で、第２コンテンツがストリーミングされると、第１出力設定値及び第２出力設定値のうちの一方を他方に段階的に変更し、第２コンテンツをディスプレイするようにディスプレイ１１０を制御することができる。ここで、第１コンテンツは、ＨＤＲコンテンツ及びＳＤＲコンテンツのうちの一方であり、第２コンテンツは、ＨＤＲコンテンツ及びＳＤＲコンテンツのうちの他方であってよい。
【００４９】
例えば、プロセッサ１４０は、ストリーミングされたＨＤＲコンテンツがＨＤＲコンテンツに対応する第１出力設定値に基づいてディスプレイされる状態で、ＳＤＲコンテンツがストリーミングされると、第１出力設定値を第２出力設定値に段階的に変更してＳＤＲコンテンツをディスプレイすることができる。
【００５０】
又は、プロセッサ１４０は、ストリーミングされたＳＤＲコンテンツがＳＤＲコンテンツに対応する第２出力設定値に基づいてディスプレイされる状態で、ＨＤＲコンテンツがストリーミングされると、第２出力設定値を第１出力設定値に段階的に変更してＨＤＲコンテンツをディスプレイすることができる。
【００５１】
ここで、プロセッサ１４０は、出力設定値として最大画面輝度、ガンマカーブ及び色空間のうち少なくとも一つを段階的に変更することができる。それに対する具体的な説明は、以下の図を参照して説明する。
【００５２】
そして、ＨＤＲコンテンツは放送コンテンツであり、ＳＤＲコンテンツは広告コンテンツであってよい。ただ、それに限定するものではなく、ＨＤＲコンテンツが広告コンテンツであり、ＳＤＲコンテンツが放送コンテンツであってよい。又は、ＨＤＲコンテンツ、ＳＤＲコンテンツのいずれもが放送コンテンツであるか、ＨＤＲコンテンツ、ＳＤＲコンテンツのいずれもが広告コンテンツであってよい。
【００５３】
プロセッサ１４０は、予め設定されたフレーム区間又は予め設定された時間の間、第１出力設定値及び第２出力設定値のうちの一方を他方に段階的に変更することができる。
【００５４】
ここで、プロセッサ１４０は、第１出力設定値及び第２出力設定値の差に基づいて、予め設定されたフレームの数又は予め設定された時間を決定することができる。
【００５５】
例えば、プロセッサ１４０は、第１最大画面輝度値が１０００ｎｉｔであり、第２最大画面輝度値が１００ｎｉｔである場合、差値である９００を１０で分けて９０のフレームの間最大画面輝度を段階的に変更することができる。ただ、それは、一実施形態に過ぎず、プロセッサ１４０はいくらでも他の方法で予め設定されたフレームの数又は予め設定された時間を決定することができる。
【００５６】
一方、プロセッサ１４０は、予め設定されたフレーム区間又は予め設定された時間の間、第１出力設定値及び第２出力設定値のうちの一方を他方に同一の単位分段階的に変更することができる。
【００５７】
例えば、上述の例において、プロセッサ１４０は、９０のフレームの間に第１最大画面輝度値１００ｎｉｔから段階的に９９０ｎｉｔ→９８０ｎｉｔ→９７０ｎｉｔ→…→１２０ｎｉｔ→１１０ｎｉｔ→１００ｎｉｔで最大画面輝度を変更することができる。
【００５８】
ただ、それに限定されるものではなく、プロセッサ１４０は、いくらでも他の方法で出力設定値を変更することもできる。例えば、プロセッサ１４０は、指数的に出力設定値を変更することもできる。
【００５９】
一方、プロセッサ１４０は、ストリーミングされるコンテンツのＶＵＩ（Ｖｉｄｅｏ  Ｕｓａｂｉｌｉｔｙ  Ｉｎｆｏｒｍａｔｉｏｎ）情報及びＳＥＩ（Ｓｕｐｐｌｅｍｅｎｔａｌ  Ｅｎｈａｎｃｅｍｅｎｔ  Ｉｎｆｏｒｍａｔｉｏｎ）情報のうち少なくとも一方に基づいて、ストリーミングされるコンテンツがＨＤＲコンテンツであるか又はＳＤＲコンテンツであるかを判断することができる。ＶＵＩ情報及びＳＥＩ情報はコンテンツとともに受信されてよい。
【００６０】
ただ、それに限定されるものではなく、ストリーミングされるコンテンツのタイプを判断することができる方法なら、如何なる方法でも構わない。例えば、プロセッサ１４０は、ストリーミングされるコンテンツのビット数に基づいて８ｂｉｔである場合はＳＤＲコンテンツと判断し、１０ｂｉｔである場合はＨＤＲコンテンツと判断することもできる。
【００６１】
一方、ストレージ１２０は、ＨＤＲコンテンツに対応する第１最大画面輝度及びＳＤＲコンテンツに対応する第２最大画面輝度を保存し、プロセッサ１４０は、第１最大画面輝度及び第２最大画面輝度に基づいて段階的に変更される最大画面輝度を決定し、決定された最大画面輝度に基づいて第２コンテンツをディスプレイすることができる。
【００６２】
例えば、ストレージ１２０は、１００ｎｉｔの第１最大画面輝度及び１０００ｎｉｔの第２最大画面輝度を保存し、プロセッサ１４０は、１００ｎｉｔの第１最大画面輝度及び１０００ｎｉｔの第２最大画面輝度に基づいて、段階的に変更される最大画面輝度を生成することができる。
【００６３】
この場合、後述のガンマカーブ及び色空間の場合と違って、ストレージ１２０は第１最大画面輝度及び第２最大画面輝度のみを保存することができる。
【００６４】
一方、ストレージ１２０は、ＨＤＲコンテンツに対応する第１ガンマカーブ、ＳＤＲコンテンツに対応する第２ガンマカーブ及び第１ガンマカーブを第２ガンマカーブに段階的に変更するための少なくとも一つのガンマカーブ、並びにＨＤＲコンテンツに対応する第１色空間、ＳＤＲコンテンツに対応する第２色空間及び第１色空間を第２色空間に段階的に変更するための少なくとも一つの色空間を保存し、プロセッサ１４０は、保存された情報に基づいて第２コンテンツをディスプレイすることができる。
【００６５】
例えば、ストレージ１２０は、第１ガンマカーブ及び第２ガンマカーブの他に、第３ガンマカーブないし第５ガンマカーブを更に保存し、プロセッサ１４０は、ガンマカーブを段階的に変更するために、第３ないし第５ガンマカーブを用いることができる。なお、ストレージ１２０は、第１色空間及び第２色空間の他に、第３ないし第５色空間を更に保存し、プロセッサ１４０は、色空間を段階的に変更するために第３ないし第５色空間を用いることができる。
【００６６】
この場合、上述の最大画面輝度の場合と違って、ストレージ１２０は第１ガンマカーブ及び第２ガンマカーブの他に、少なくとも一つのガンマカーブを更に保存し、第１色空間及び第２色空間の他に、少なくとも一つの色空間を更に含んでよい。なお、プロセッサ１４０は、保存されたデータを用いるだけで、段階的に変更されるガンマカーブ又は色空間を生成しない。
【００６７】
ただ、それに限定されるものではなく、プロセッサ１４０は、段階的に変更されるガンマカーブ又は色空間を生成することもできる。なお、ストレージ１２０は、段階的に変更される少なくとも一つの最大画面輝度を保存し、プロセッサ１４０は保存されたデータを用いることもできる。
【００６８】
図１Ｂは、ディスプレイ装置の細部構成の一例を示すブロック図である。図１Ｂによると、ディスプレイ装置１００は、ディスプレイ１１０、ストレージ１２０、通信部１３０、プロセッサ１４０、ユーザインターフェース部１５０、オーディオ処理部１６０、ビデオ処理部１７０、スピーカ１８０、ボタン１８１、カメラ１８２を含む。図１Ｂに示す構成要素のうち、図１に示す構成要素と重複する部分については、詳細な説明を省略する。
【００６９】
プロセッサ１４０は、ストレージ１２０に保存された各種プログラムを用いてディスプレイ装置１００の動作の全般を制御する。
【００７０】
具体的には、プロセッサ１４０は、ＲＡＭ１４１、ＲＯＭ１４２、メインＣＰＵ１４３、グラフィック処理部１４４、第１ないし第ｎインターフェース１４５−１〜１４５−ｎ、バス１４６を含む。
【００７１】
ＲＡＭ１４１、ＲＯＭ１４２、メインＣＰＵ１４３、グラフィック処理部１４４、第１ないし第ｎインターフェース１４５−１〜１４５−ｎなどは、バス１４６を介して相互接続されてよい。
【００７２】
第１ないし第ｎインターフェース１４５−１〜１４５−ｎは、上述の各種構成要素と接続される。インターフェースのいずれか一つは、ネットワークを介して外部装置と接続されるネットワークインターフェースであってよい。
【００７３】
メインＣＰＵ１４３は、ストレージ１２０にアクセスし、ストレージ１２０に保存されたＯ／Ｓを用いてブートを行う。そして、ストレージ１２０に保存された各種プログラムなどを用いて多様な動作を行う。
【００７４】
ＲＯＭ１４２には、システムブートのための命令語セットなどが保存される。ターンオン命令が入力されて電源が供給されると、メインＣＰＵ１４３は、ＲＯＭ１４２に保存された命令語に応じてストレージ１２０に保存されたＯ／ＳをＲＡＭ１４１にコピーし、Ｏ／Ｓを実行させてシステムをブートさせる。ブートが完了すると、メインＣＰＵ１４３は、ストレージ１２０に保存された各種アプリケーションプログラムをＲＡＭ１４１にコピーし、ＲＡＭ１４１にコピーされたアプリケーションプログラムを実行させて各種動作を行う。
【００７５】
グラフィック処理部１４４は、演算部（図示せず）及びレンダリング部（図示せず）を用いてアイコン、イメージ、テキストなどのような多様な客体を含む画面を生成する。演算部（図示せず）は、受信された制御命令に基づいて画面のレイアウトに応じて、各客体が表示される座標値、形、大きさ、カラーなどのような属性値を演算する。レンダリング部（図示せず）は、演算部（図示せず）で演算した属性値に基づいて客体を含む多様なレイアウトの画面を生成する。レンダリング部（図示せず）で生成された画面は、ディスプレイ１１０のディスプレイ領域内に表示される。
【００７６】
一方、上述のプロセッサ１４０の動作は、ストレージ１２０に保存されたプログラムによって行われてよい。
【００７７】
ストレージ１２０は、ディスプレイ装置１００を駆動させるためのＯ／Ｓ（Ｏｐｅｒａｔｉｎｇ  Ｓｙｓｔｅｍ）ソフトウェアモジュール及びディスプレイ１１０の出力設定モジュールなどのように、多様なデータを保存する。
【００７８】
この場合、プロセッサ１４０は、ストレージ１２０に保存された情報に基づいて入力された映像を処理してディスプレイすることができる。
【００７９】
通信部１３０は、多様な通信方式によって多様な外部装置と通信を行う構成である。通信部１３０は、Ｗｉ−Ｆｉチップ１３１、ブルートゥース（登録商標）チップ１３２、無線通信チップ１３３、ＮＦＣチップ１３４などを含む。プロセッサ１４０は、通信部１３０をもちいて各種外部装置と通信を行う。
【００８０】
Ｗｉ−Ｆｉチップ１３１、ブルートゥースチップ１３２は、Ｗｉ−Ｆｉ方式、ブルートゥース方式で通信を行う。Ｗｉ−Ｆｉチップ１３１やブルートゥースチップ１３２を用いる場合には、ＳＳＩＤ及びセッションキーなどのような各種接続情報を先に送受信し、それを用いて通信接続した後で各種情報を送受信することができる。無線通信チップ１３３は、ＩＥＥＥ、ｚｉｇｂｅｅ、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｏｕｔｉｏｎ）などのような多様な通信規格によって通信を行うチップを意味する。ＮＦＣチップ１３４は、１３５ｋＨｚ、１３．５６ＭＨｚ、４３３ＭＨｚ、８６０〜９６０ＭＨｚ、２．４５ＧＨなどのような様々なＲＦ−ＩＤ周波数帯域のうち、１３．５６ＭＨｚ帯域を使うＮＦＣ（Ｎｅａｒ  Ｆｉｅｌｄ  Ｃｏｍｍｕｎｉｃａｔｉｏｎ）方式で動作するチップを意味する。
【００８１】
一方、通信部１３０は、外部装置と単方向通信又は双方向通信を行うことができる。単方向通信を行う場合、通信部１３０は外部装置から信号を受信することができる。双方向通信を行う場合、通信部１３０は外部装置から信号を受信することもでき、外部装置に信号を送信することもできる。
【００８２】
ユーザインターフェース部１５０は、多様なユーザインタラクション（ｉｎｔｅｒａｃｔｉｏｎ）を受信する。ここで、ユーザインターフェース部１５０は、ディスプレイ装置１００の実現例によって多様な形態で実現が可能である。ディスプレイ装置１００がテレビで実現される場合、ユーザインターフェース部１５０は遠隔制御装置からリモコン信号を受信するリモコン受信部、ユーザモーションを感知するカメラ、ユーザ音声を受信するマイクなどで実現できる。なお、ディスプレイ装置１００がタッチ基板の電子装置で実現される場合、ユーザインターフェース１５０はタッチパッドと互いにレイヤ構造からなるタッチスクリーン形態で実現できてよい。この場合、ユーザインターフェース部１５０は、上述のディスプレイ１１０で使用することができるようになる。
【００８３】
オーディオ処理部１６０は、オーディオデータに対する処理を行う構成要素である。オーディオ処理部１６０ではオーディオデータに対するデコードや増幅、ノイズフィルタリングなどのような様々な処理が行われてよい。
【００８４】
ビデオ処理部１７０は、ビデオデータに対する処理を行う構成要素である。ビデオ処理部１７０では、ビデオデータに対するデコード、スケーリング、ノイズフィルタリング、フレームレート変換、解像度変換などのような様々なイメージ処理を行うことができる。
【００８５】
スピーカ１８０は、オーディオ処理部１６０で処理された各種オーディオデータだけでなく、各種報知音や音声メッセージなどを出力する構成要素である。
【００８６】
ボタン１８１は、ディスプレイ装置１００の本体外観の全面部や側面部、背面部などの任意の領域に形成された機械的なボタン、タッチパッド、ホイールなどのような多様なボタンであってよい。
【００８７】
カメラ１８２は、ユーザの制御によって静止画面又は動画を撮像するための構成である。カメラ１８２は、全面カメラ、背面カメラのように、複数で実現されてよい。
【００８８】
以上のように、プロセッサ１４０は、ＨＤＲコンテンツ及びＳＤＲコンテンツのうちの一方をストリーミングする状態で他方がストリーミングされると、出力設定値を段階的に変更して視聴者の視聴への妨げを最小化することができる。
【００８９】
以下では、図面を通じてディスプレイ装置１００の動作についてより詳細に説明する。
【００９０】
図２は、本発明の一実施形態に係るストリーミングコンテンツのタイプが変更される場合を説明するための図である。
【００９１】
まず、ディスプレイ装置１００は、左から右に向かう方向にコンテンツを受信することができる。図２に示すように、ディスプレイ装置１００は、ＨＤＲ放送→ＳＤＲ広告→ＨＤＲ放送→ＳＤＲ広告の順にコンテンツを受信することができる。ただ、それは一例に過ぎず、コンテンツの受信順はいくらでも異なってよい。
【００９２】
プロセッサ１４０は、コンテンツのタイプが変更されたことを検知することができる。例えば、プロセッサ１４０は、コンテンツとともに受信されるＶＵＩ情報及びＳＥＩ情報のうち少なくとも一方に基づいてコンテンツのタイプが変更されたことを検知することができる。又は、プロセッサ１４０は、コンテンツのビット数を考慮して、コンテンツのタイプが変更されたことを検知することもできる。
【００９３】
プロセッサ１４０は、コンテンツのタイプが変更されたと判断されると、予め設定されたフレーム区間又は予め設定された時間２１０の間、ディスプレイ１１０の出力設定値を段階的に変更することができる。
【００９４】
ここで、プロセッサ１４０は、ストレージ１２０に保存されたＨＤＲコンテンツに対応する第１出力設定値及びＳＤＲコンテンツに対応する第２出力設定値の差に基づいて、予め設定されたフレームの数又は予め設定された時間を決定することができる。
【００９５】
プロセッサ１４０は、予め設定されたフレームの数又は予め設定された時間が決定されると、第１出力設定値及び第２出力設定値のうちの一方を他方に同一の単位分段階的に変更することができる。
【００９６】
図３は、出力設定値のうち最大画面輝度値を変更する方法を説明するための図である。図３に示すように、プロセッサ１４０は、ＳＤＲコンテンツがディスプレイされた状態でＨＤＲコンテンツがストリーミングされると、最大画面輝度値を段階的に変更することができる。
【００９７】
例えば、プロセッサ１４０は、ＳＤＲコンテンツがディスプレイされる間、５０ｎｉｔの最大画面輝度値からＨＤＲコンテンツがストリーミングされると、５５ｎｉｔ→６０ｎｉｔ→…→１００ｎｉｔに最大画面輝度値を段階的に変更することができる。
【００９８】
ここで、プロセッサ１４０は、最初の最大画面輝度値及び最終の最大画面輝度値に基づいて段階的に変更される最大画面輝度値を算出することができる。この場合、ストレージ１２０は、段階的に変更される最大画面輝度値を算出するための数式を保存することができ、プロセッサ１４０は、最初の最大画面輝度値、最終の最大画面輝度値及び数式に基づいて、段階的に変更される最大画面輝度値を算出することができる。
【００９９】
ただ、それに限定されるものではなく、ストレージ１２０は、段階的に変更される最大画面輝度値を全て保存し、プロセッサ１４０は、保存された値に基づいてディスプレイ１１０を制御することもできる。この場合、ストレージ１２は、数式を保存しなくてよい。
【０１００】
図３では、ＨＤＲコンテンツをディスプレイする間、最大画面輝度値が段階的に変更されるものとして示しているが、それに限定されるものではない。例えば、プロセッサ１４０は、ＳＤＲコンテンツをディスプレイする間、最大画面輝度値を段階的に変更することもできる。又は、プロセッサ１４０は、ＳＤＲコンテンツ及びＨＤＲコンテンツをディスプレイする間、最大画面輝度値を段階的に変更することもできる。
【０１０１】
このような動作は、コンテンツのストリーミング時点とディスプレイ時点に微差があるためである。例えば、プロセッサ１４０は、コンテンツをストリーミングした後で処理するための第１時間が必要であるが、コンテンツのタイプが変更されたことを判断する第２時間は、第１時間より短くてよい。それにより、プロセッサ１４０は、タイプが変更されてストリーミングされるコンテンツをディスプレイする前に最大画面輝度値を段階的に変更することもできる。
【０１０２】
なお、このような動作は、最大画面輝度値だけでなく、ガンマカーブ及び色空間にも同様に適用されてよい。
【０１０３】
図４は、出力設定値のうちガンマカーブを変更する方法を説明するための図である。
【０１０４】
図４に示すように、ストレージ１２０は、ＨＤＲコンテンツに対応する第１ガンマカーブ４１０、ＳＤＲコンテンツに対応する第２ガンマカーブ４２０及び第１ガンマカーブ４１０及び第２ガンマカーブ４２０のうちの一方を他方に段階的に変更するための少なくとも一つのガンマカーブ４３０を保存し、プロセッサ１４０は、保存された情報に基づいてガンマカーブを段階的に変更することができる。
【０１０５】
図４では、少なくとも一つのガンマカーブ４３０が３つであるとして示しているが、それに限定されるものではなく、異なる数であってよい。
【０１０６】
一方、ストレージ１２０は、少なくとも一つのガンマカーブ４３０を保存せずに、第１ガンマカーブ４１０及び第２ガンマカーブ４２０のうちの一方を他方に変更するための数式を保存することができる。この場合、プロセッサ１４０は、第１ガンマカーブ４１０、第２ガンマカーブ４２０及び数式に基づいて段階的に変更されるガンマカーブを算出することができる。
【０１０７】
例えば、プロセッサ１４０は、第１ガンマカーブ４１０及び第２ガンマカーブ４２０で同じピクセル値（ｘ座標値）に対する比率値（ｙ座標値）の差に基づいて、段階的に変更される比率値を算出することができる。この場合、プロセッサ１４０は、段階的に変更されるガンマカーブ全体を算出することができる。又は、プロセッサ１４０は、コンテンツのディスプレイの際に各ピクセル値に対する必要な比率値のみを算出することもできる。
【０１０８】
そして、プロセッサ１４０は、上述のように、ＳＤＲコンテンツ及びＨＤＲコンテンツのうち少なくとも一方をディスプレイする間、段階的にガンマカーブを変更することもできる。
【０１０９】
図５は、出力設定値のうち色空間を変更する方法を説明するための図である。
【０１１０】
図５に示すように、ストレージ１２０は、ＨＤＲコンテンツに対応する第１色空間５１０、ＳＤＲコンテンツに対応する第２色空間５２０及び第１色空間５１０及び第２色空間５２０のうちの一方を他方に段階的に変更するための少なくとも一つの色空間５３０を保存し、プロセッサ１４０は、保存された情報に基づいて色空間を段階的に変更することができる。
【０１１１】
図５では、少なくとも一つの色空間５３０が３つであるとして示しているが、それに限定されるものではなく、異なる数であってよい。
【０１１２】
一方、ストレージ１２０は、少なくとも一つの色空間５３０を保存せずに、第１色空間５１０及び第２色空間５２０のうちの一方を他方に変更するための数式を保存することができる。この場合、プロセッサ１４０は、第１色空間５１０、第２色空間５２０及び数式に基づいて段階的に変更される色空間を算出することができる。
【０１１３】
例えば、プロセッサ１４０は、第１色空間５１０及び第２色空間５２０で対応する対の角を直線でつなげ、三角比例式を用いて段階的に変更される色空間を算出することもできる。
【０１１４】
そして、プロセッサ１４０は、上述のように、ＳＤＲコンテンツ及びＨＤＲコンテンツのうち少なくとも一方をディスプレイする間、段階的に色空間を変更することもできる。
【０１１５】
図６は、本発明の一実施形態に係る中間出力設定値を決定する方法を具体的に説明するためのフローチャートである。
【０１１６】
まず、ＨＤＲ／ＳＤＲ信号を検出する（Ｓ６１０）。ＨＤＲ／ＳＤＲの有無は、ＶＵＩ情報及びＳＥＩ情報のうち少なくとも一方に基づいて判断することができる。そして、判断の結果、コンテンツ類型の変更があるかを判断する（Ｓ６２０）。
【０１１７】
コンテンツ類型が変更された場合、フレーム区間設定又は予め設定された時間を設定する（Ｓ６３０）。もし、コンテンツ類型が変更されていない場合、引き続きＨＤＲ／ＳＤＲ信号を検出する。
【０１１８】
フレーム区間又は予め設定された時間が設定されると、初期の出力設定値及び目標出力設定値を決定する（Ｓ６４０）。そして、最後のフレームに到達しているか、又は予め設定された時間が経過しているかを判断する（Ｓ６５０）。
【０１１９】
最後のフレームに到達せずに、予め設定された時間が経過していない場合、中間出力設定値を決定することができる（Ｓ６６０）。中間出力設定値は、進行時間に応じて異なってよい。そして、決定された中間出力設定値に基づいてディスプレイ画質を設定する（Ｓ６７０）。この過程を繰り返し、再度のフレームに到達しているか、予め設定された時間が経過すると、終了する。この場合、再びＨＤＲ／ＳＤＲ信号を検出することができる。
【０１２０】
又は、目標出力設定値に到達する前も、ＨＤＲ／ＳＤＲ信号を検出することもできる。目標出力設定値に到達する前に再びコンテンツ類型が変更されると、初期出力設定値が再びコンテンツ類型が変更された時点の中間出力設定値に決定されてよい。この場合、設定されたフレーム区間又は予め設定された時間を変更することもできる。
【０１２１】
図７は、本発明の一実施形態に係るディスプレイ装置の制御方法を説明するためのフローチャートである。
【０１２２】
ＨＤＲ（Ｈｉｇｈ  Ｄｙｎａｍｉｃ  Ｒａｎｇｅ）コンテンツに対応する第１出力設定値及びＳＤＲ（Ｓｔａｎｄａｒｄ  Ｄｙｎａｍｉｃ  Ｒａｎｇｅ）コンテンツに対応する第２出力設定値が保存されているディスプレイ装置の制御方法は、まずストリーミングされた第１コンテンツを、第１コンテンツに対応する第１出力設定値及び第２出力設定値のうちの一方に基づいてディスプレイする（Ｓ７１０）。そして、第２コンテンツがストリーミングされると、第１出力設定値及び第２出力設定値のうちの一方を他方に段階的に変更し、第２コンテンツをディスプレイする（Ｓ７２０）。ここで、第１コンテンツは、ＨＤＲコンテンツ及びＳＤＲコンテンツのうちの一方であり、第２コンテンツは、ＨＤＲコンテンツ及びＳＤＲコンテンツのうちの他方であってよい。
【０１２３】
なお、第２コンテンツをディスプレイするステップ（Ｓ７２０）は、予め設定されたフレーム区間又は予め設定された時間の間、第１出力設定値及び第２出力設定値のうちの一方を他方に段階的に変更してよい。
【０１２４】
ここで、第２コンテンツをディスプレイするステップ（Ｓ７２０）は、予め設定されたフレーム区間又は予め設定された時間の間、第１出力設定値及び前２出力設定値のうちの一方を他方に同一の単位分段階的に変更してよい。
【０１２５】
そして、第２コンテンツをディスプレイするステップ（Ｓ７２０）は、第１出力設定値及び第２出力設定値の差に基づいて、予め設定されたフレームの数又は予め設定された時間を決定してよい。
【０１２６】
一方、ストリーミングされるコンテンツのＶＵＩ（Ｖｉｄｅｏ  Ｕｓａｂｉｌｉｔｙ  Ｉｎｆｏｒｍａｔｉｏｎ）情報及びＳＥＩ（Ｓｕｐｐｌｅｍｅｎｔａｌ  Ｅｎｈａｎｃｅｍｅｎｔ  Ｉｎｆｏｒｍａｔｉｏｎ）情報のうち少なくとも一方に基づいて、ストリーミングされるコンテンツがＨＤＲコンテンツであるか又はＳＤＲコンテンツであるかを判断するステップを更に含んでよい。
【０１２７】
そして、第１出力設定値及び第２出力設定値のそれぞれは、最大画面輝度、ガンマカーブ（ｇａｍｍａ  ｃｕｒｖｅ）及び色空間（ｃｏｌｏｒ  ｓｐａｃｅ）のうち少なくとも一つを含んでよい。
【０１２８】
一方、ディスプレイ装置は、ＨＤＲコンテンツに対応する第１最大画面輝度及びＳＤＲコンテンツに対応する第２最大画面輝度を保存し、第２コンテンツをディスプレイするステップ（Ｓ７２０）は、第１最大画面輝度及び第２最大画面輝度に基づいて、段階的に変更される最大画面輝度を決定し、決定された最大画面輝度に基づいて第２コンテンツをディスプレイしてよい。
【０１２９】
なお、ディスプレイ装置は、ＨＤＲコンテンツに対応する第１ガンマカーブ、ＳＤＲコンテンツに対応する第２ガンマカーブ及び第１ガンマカーブを第２ガンマカーブに段階的に変更するための少なくとも一つのガンマカーブ、並びにＨＤＲコンテンツに対応する第１色空間、ＳＤＲコンテンツに対応する第２色空間及び第１色空間を第２色空間に段階的に変更するための少なくとも一つの色空間を保存し、第２コンテンツをディスプレイするステップ（Ｓ７２０）は、保存された情報に基づいて第２コンテンツをディスプレイしてよい。
【０１３０】
一方、ＨＤＲコンテンツは放送コンテンツであり、ＳＤＲコンテンツは広告コンテンツであってよい。
【０１３１】
以上説明したように、本発明によれば、ディスプレイ装置は、ＨＤＲ（Ｈｉｇｈ  Ｄｙｎａｍｉｃ  Ｒａｎｇｅ）コンテンツ及びＳＤＲ（Ｓｔａｎｄａｒｄ  Ｄｙｎａｍｉｃ  Ｒａｎｇｅ）コンテンツのうちの一方から他方に変更される際、ディスプレイの出力設定値を段階的に変更して視聴者の違和感を最小化することができるようになる。
【０１３２】
一方、以上では、ストレージが、ＨＤＲコンテンツに対応する第１出力設定値及びＳＤＲコンテンツに対応する第２出力設定値を保存するものとして説明したが、それに限定されるものではない。例えば、ストレージは、ＨＤＲコンテンツ及びＳＤＲコンテンツだけでなく、新たなタイプのコンテンツに対応する出力設定値を更に含んでよい。この場合でも、プロセッサの動作は、同様である。
【０１３３】
一方、このような多様な実施形態に係る方法は、プログラミングされて各種保存媒体に保存されてよい。それにより、保存媒体を実行する多様な電子装置で上述の多様な実施形態による方法が実現されてよい。
【０１３４】
具体的には、上述の制御方法を順次に行うプログラムが保存された非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０１３５】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢメモリ、メモリカード、ＲＯＭ等のような非一時的な読み取り可能な媒体に保存されて提供されてよい。
【０１３６】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１３７】
１００  ディスプレイ装置
１１０  ディスプレイ
１２０  ストレージ
１３０  通信部
１３１  Ｗｉ−Ｆｉチップ
１３２  ブルートゥースチップ
１３３  無線通信チップ
１３４  ＮＦＣチップ
１４０  プロセッサ
１４１  ＲＡＭ
１４２  ＲＯＭ
１４３  メインＣＰＵ
１４４  グラフィック処理部
１４５−１  第１インターフェース
１４５−ｎ  第ｎインターフェース
１４６  バス
１５０  ユーザインターフェース部
１６０  オーディオ処理部
１７０  ビデオ処理部
１８０  スピーカ
１８１  ボタン
１８２  カメラ
【図１Ａ】
0006903150.tif 000002
【図１Ｂ】
0006903150.tif 000003
【図２】
0006903150.tif 000004
【図３】
0006903150.tif 000005
【図４】
0006903150.tif 000006
【図５】
0006903150.tif 000007
【図６】
0006903150.tif 000008
【図７】
0006903150.tif 000009